(57)【要約】      （修正有）【課題】毛髪を揃え整理するために使用されるヘアクリップの構造を改善し、毛髪の固定力をさらに大きく向上させることができるようにしたヘアクリップを提供する。【解決手段】ヘアクリップ１００は、下部両側の複数の歯１１１と後方押え部１１２を有する上部ボディ１１０と、上部ボディにヒンジピン１２０を結合させた上面両側の加圧突起１３１と後方押え部１３２を備える下部ボディ１３０と、ヒンジピンに設けられている捻じりバネ１４０を有し、さらに、上部ボディの底部中央の長手方向に突出している複数の補助歯１１３ａを有する補助固定部１１３と、下部ボディの上面中央両側の長手方向に突出し、上部ボディの複数の補助歯の両側に対応して配置されている補助加圧突起１３３と、を有する。【選択図】図２
0003228310.tif 000002
【実用新案登録請求の範囲】
【請求項１】
下部両側の複数の歯と後方押え部とを有する上部ボディと、前記上部ボディにヒンジピンを用いて結合されている上面両側加突起と後方押え部とを有する下部ボディと、前記ヒンジピンに設けられた捻じりバネと、を有するヘアクリップであって、
前記上部ボディの底部中央の長手方向に突出している複数の補助歯を有する補助固定部と、
前記下部ボディの上面中央両側の長手方向に突出している複数の補助歯の両側に設けられた補助加圧突起を有することを特徴とするヘアクリップ。
【考案の詳細な説明】
【技術分野】
【０００１】
本考案は、ヘアクリップに関する。
【背景技術】
【０００２】
一般的に、髪のずり落ちを防止しながら乱れた毛髪をきちんと整理し、束ねたり上げなければならない場合に、容姿をきちんとするためにヘアクリップが使用されている。このようなヘアクリップは、様々な形で使用されているが、その中でも、ユーザーの後頭部をきちんと固定できるように構成されて使いやすいヘアクリップが普及している。
【考案の概要】
【考案が解決しようとする課題】
【０００３】
上記の毛髪を揃え整理するために使用されるヘアクリップは、例えば、下端部に複数で形成され、前方から後方に傾斜をもつ鋸歯が形成された上部ボディと、上部ボディとヒンジピンに回転されるように結合されている下部ボディと、下部ボディの後側に延長されて形成された押え部と、ヒンジピンにインストールされている捻じりバネで構成されている。このようなヘアクリップは、毛髪を固定するためのもので、ヘアクリップの固定力が大きく、指に負担がかかり、また、使用上の不便さがあり、このような固定力が大きいヘアクリップの使用は少なくなる傾向にあり、ヘアクリップの固定力を一定レベル以下に制限していることもある。
【０００４】
また、ヘアクリップの固定力を一定レベル以下に制限する場合には、その固定力が弱く、固定された毛髪がヘアクリップから外れて、不快感をもたらすこともあり、ヘアクリップの固定力の向上と、ヘアクリップの使用の便宜性の両立は容易ではないという問題があった。
【０００５】
上記のヘアクリップにおいて、例えば、上部ボディの両側下部に形成された歯を介して上部ボディと下部ボディの両側で毛髪を固定しており、上部ボディと下部ボディの内部においては毛髪を固定することができず、固定力が脆弱になり、結果的に毛髪を均等に押えることができず、毛髪が簡単に外れてしまうという問題があり、つまり毛髪を安定的に固定できないことにより毛髪が外れてしまうという問題点もあった。
【０００６】
本考案は、こうした点に鑑みてなされたものであり、上記の従来の問題を解消するために考案されたものであり、毛髪を揃え整理するためにヘアクリップの構造を改善し、毛髪の固定力をさらに大きく向上させることができるようにしたヘアクリップを提供することである。
【０００７】
また、本考案は、毛髪を均等に押えることで髪をカットまたは染色時の毛髪が外れることを防止することができるようにしたヘアクリップを提供することである。
【０００８】
さらに、本考案は、毛髪の整理をするときに、髪を安定的に固定し、毛髪が外れることを防止することができるようにしたヘアクリップを提供することである。
【課題を解決するための手段】
【０００９】
上記課題を解決するために、本考案に係るヘアクリップは、下部両側の複数の歯と後方押え部とを有する上部ボディと、前記上部ボディにヒンジピンを用いて結合されている上面両側加突起と後方押え部とを有する下部ボディと、前記ヒンジピンに設けられた捻じりバネと、を有するヘアクリップであって、前記上部ボディの底部中央の長手方向に突出している複数の補助歯を有する補助固定部と、前記下部ボディの上面中央両側の長手方向に突出している複数の補助歯の両側に設けられた補助加圧突起を有することを特徴とする。
【考案の効果】
【００１０】
本考案によれば、毛髪を揃え整理するためにヘアクリップの構造を改善し、毛髪の固定力をさらに大きく向上させることができるようにしたヘアクリップを提供することができる。また、本考案は、毛髪を均等に押えて髪をカットまたは染色時の毛髪が外れることを防止することができるようにしたヘアクリップを提供することができ、毛髪を整理するときに、髪を安定的に固定し、毛髪が離脱することを防止することができる。
【００１１】
また、本考案のヘアクリップは下部ボディの中央両側に毛髪を加圧する補助加圧突起が形成されているため、この構造で両側加圧突起と中央両側の補助加圧突起を介して部分的に集められた毛髪をさらに均等に押え、毛髪の外れを防止することができるという効果を有しており、さらに、本考案のヘアクリップは、上部ボディの複数の補助歯と下部ボディの補助加圧突起を介して毛髪をさらに安定的に固定することができ、毛髪の離脱を防止ることができるという顕著な効果を有している。
【図面の簡単な説明】
【００１２】
【図１】実施形態のヘアクリップの一例を示す模式図である。
【図２】実施形態のヘアクリップの上部ボディと下部ボディのそれぞれを示す模式図である。
【図３】実施形態のヘアクリップの要部を示す模式図である。
【考案を実施するための形態】
【００１３】
以下、本考案の実施形態であるヘアクリップ100を、図１から図３を用いて説明する。
【００１４】
ヘアクリップ100は、図１から図３に示されるように、下部両側の複数の歯111と後方押え部112とを有する上部ボディ110と、上部ボディ110にヒンジピン120を用いて結合されている上面両側の加圧突起131と、後方押え部132とを有する下部ボディ130と、ヒンジピン120に設けられた捻じりバネ140を有している。
【００１５】
また、ヘアクリップ100は、上部ボディ110の底部中央の長手方向に突出している複数の補助歯113aを有する補助固定部113と、下部ボディ130の上面中央両側の長手方向に突出している複数の補助歯113aの両側に設けられた補助加圧突起133を有している。
【００１６】
ヘアクリップ100は、集められた毛髪を揃え整理し、固定するために使用されるものであり、このようなヘアクリップ100は、上記のとおり、上部ボディ110、ヒンジピン120、下部ボディ130と捻じりバネ140を構成としている。
【００１７】
上部ボディ110は、ヘアクリップ100の上体を構成するものであり、上部ボディ110の下部両側には、毛髪を固定する複数の歯111が長手方向に連続し繰り返されて形成されており、また、上部ボディ110の後方には、押え部112が延長して形成されている。また、上部ボディ110の内部両側の複数の歯111との間には、毛髪が挿入される空間が形成されている。
【００１８】
ヘアクリップ100は、上部ボディ110の底部中央において毛髪を補助的に固定する補助固定部113が、長手方向に長く突出されており、補助固定部113の下部には、毛髪を固定する複数の補助歯113aが、長手方向に連続して繰り返して形成されている。
【００１９】
また、上部ボディ110の両側の複数の歯111は、前方から後方に傾斜するように形成され、補助固定部113の複数の補助歯113aは、後方から前方に傾斜するように形成されている。両側の複数の歯111と、複数の補助歯113aを、互いに反対方向に傾斜するように形成することにより、ヘアクリップ100の毛髪に対する固定力をさらに向上させることができる。
【００２０】
このように両側の複数の歯111を前方から後方に傾斜するように形成することにより、ヘアクリップ100の着用時の毛髪が簡単に入り込むようになり、複数の補助歯113aを後方から前方に傾斜するように形成することによりヘアクリップ100の着脱時に簡単に抜けるように形成されている。また、ヘアクリップ100を着用した状態では、両側の複数の歯111と、複数の補助歯113aが、互いに反対方向で毛髪をそれぞれ固定することにより、毛髪の離脱を強固に防止することができる構成となっている。
【００２１】
上部ボディ110の両側には、長手方向に複数の孔114が形成されており、孔114は、円形、正方形、菱形などの様々な形状に形成されることにより、上部ボディ110の内部の空間での換気を行うことができる。また、孔114は、上部ボディ110の外観が美麗にデザイン的な効果を付与する役割を果たしている。ヒンジピン120は、上部ボディ110と下部ボディ130を回転可能に接続しており、ヒンジピン120は、上部ボディ110と下部ボディ130に形成されたピン用の孔に挿入される。
【００２２】
下部ボディ130は、ヘアクリップ100の下部分を構成しており、下部ボディ130の上面両側には毛髪をキャッチし、固定する加圧突起131が長手方向に長く形成されており、上部ボディ110の後方には、押え部132が延長して形成されている。また、下部ボディ130の両側の加圧突起131は、両側の複数の歯111の内側にそれぞれ配置され、毛髪をキャッチするように形成されている。
【００２３】
下部ボディ130の上面中央両側には、毛髪を保持固定する補助加圧突起133が、長手方向に長くなるように形成されている。また、下部ボディ130の両側の補助加圧突起133と加圧突起131との間には、溝部131aが形成されており、補助加圧突起133は、複数の補助歯113aの両側にそれぞれ配置されている。
【００２４】
上部ボディ110の押え部112の上面と、下部ボディ130の押え部132の底面には、指圧突起112aと指圧突起132aが設けられている。このように押え部112と押え部132に形成された指圧突起112aと指圧突起132aは、ヘアクリップ100を広げるときに指が滑ることを防止するとともに、指圧効果を付与する役割を果たしている。
【００２５】
捻じりバネ140は、ヒンジピン120に設置されるものであり、このような捻じりバネ140は、上部ボディ110と下部ボディ130が毛髪を押えることができるように弾性を付与する役割を果たしている。
【００２６】
さらに、ヘアクリップ100は、図１に示すように上部ボディ110の前方と後方の上部に装飾のためのキュービック150を取り付けることができる。このようなキュービック150は、上部ボディ110の外観を美麗に装飾する効果を付与する役割を果たしている。
【００２７】
このように構成された本考案のヘアクリップ100は、上部ボディ110の底部中央に毛髪を固定させる複数の補助歯（113aが形成されており、下部ボディ130には溝部131aが形成されており、下部の両側の複数の歯111と、複数の補助歯113aを3点で、毛髪を固定し溝部131aによって毛髪の固定力をさらに大きく向上させることができるという顕著な効果を有しているものである。
【００２８】
また、本考案のヘアクリップ100は、下部ボディ130の上面中央両側に毛髪を加圧する補助加圧突起133が形成されており、両側の加圧突起131と、中央両側の補助加圧突起133を介して4点で、毛髪をさらに均等に圧迫することができることにより、毛髪が外れることを防止することができるという優れた効果を有している。
【００２９】
さらに、本考案のヘアクリップ100は、上部ボディ110の複数の補助歯113aと下部ボディ130の補助加圧突起133を介して毛髪をさらに安定的に固定することができることにより、毛髪が離脱することを防止することができるという優れた効果を有している。
【００３０】
以上、本考案の有する特徴及び優れた点を上記実施形態に記載したが、本考案は、本願の実用新案登録請求の範囲で使用されている言葉を広く一般的な意味に拡張して実施することができる。
【００３１】
また、本考案のヘアクリップは、大きさや形状、素材の種類、厚さ、重さなどについては多様な実施形態が可能であり、それらについて本実施形態と異なる形態による実施は、本考案の技術的範囲に含まれる。
【符号の説明】
【００３２】
100   ヘアクリップ
110   上部ボディ
111   複数の歯
112   押え部
112a  指圧突起
113   補助固定部
113a  複数の補助歯
114   孔
120   ヒンジピン
130   下部ボディ
131   加圧突起
131a  溝部
132   押え部
132a  指圧突起
133   補助加圧突起
140   捻じりバネ
【図１】
0003228310.tif 000003
【図２】
0003228310.tif 000004
【図３】
0003228310.tif 000005